(57)【要約】【課題】安価に得ることができるとともに、手、足のいずれにも嵌めて多用途に活用できる手足用簡易カバーを得る。【解決手段】可撓性かつ正方形状のシート（５）を設け、該シート（５）の左右コーナー側の辺（５−１，５−２）及び前部コーナー側の辺（５−３）を中心方向に向けて互いに重なる量で折り畳むとともに、折り畳んだ左右辺（５−１，５−２）は後部コーナー側に向かってテーパー状に拡開させ、各辺（５−１〜５−３）の後部側の重なり端部を互いに連結して後面が開口（２ａ）した収容部（２）を形成する。【選択図】        図７
2004229991.tif 000002
【特許請求の範囲】
【請求項１】
可撓性かつ正方形状のシート（５）を設け、該シート（５）の左右コーナー側の辺（５−１，５−２）及び前部コーナー側の辺（５−３）を中心方向に向けて互いに重なる量で折り畳むとともに、折り畳んだ左右辺（５−１，５−２）は後部コーナー側に向かってテーパー状に拡開させ、各辺（５−１〜５−３）の後部側の重なり端部を互いに連結して後面が開口（２ａ）した収容部（２）を形成したことを特徴とする手足用簡易カバー。
【請求項２】
シート（５）は紙材であって、該シート（５）に抗菌剤及び又は芳香剤を含浸させたことを特徴とする請求項１記載の手足用簡易カバー。
【発明の詳細な説明】
【０００１】
【発明の属する技術分野】
本発明は、共用の靴、スリッパ等を履く際に足に嵌めて該足の汚染を防止したり、また、窓ガラス、便器等を清掃する際に手に嵌めてこれらの作業が容易行えるようにする手足用簡易カバーに関するものである。
【０００２】
【従来の技術】
従来は、足の汚染を防止する際は足専用のソックスを、窓ガラス、便器等を清掃する際には専用の清掃具を使用するようにしていた。
【０００３】
【発明が解決しようとする課題】
上記従来のものは、用途に応じてそれぞれ専用の用品を使用するようにしていたため、管理が煩わしくなるとともに費用が嵩張るものであった。本発明は、一種類で多用途に活用できるようにすることにより、上記不具合を解消した新規な手足用簡易カバーを得ることを目的とする。
【０００４】
【課題を解決するための手段】
本発明は、上記目的を達成するために以下の如く構成したものである。即ち、可撓性かつ正方形状のシートを設け、該シートの左右コーナー側の辺及び前部コーナー側の辺を中心方向に向けて互いに重なる量で折り畳むとともに、折り畳んだ左右辺は後部コーナー側に向かってテーパー状に拡開させ、各辺の後部側の重なり端部を互いに連結して後面が開口した収容部を形成する構成にしたものである。また、前記シートは紙材であって、該シートに抗菌剤及び又は芳香剤を含浸させるようにしたものである。
【０００５】
【発明の実施の形態】
以下本発明の実施例を図面に基いて説明する。図面において、図１は本発明の実施例を示す平面図、図２は靴に取り付けた状態を示す説明用平面図、図３はスリッパに取り付けた状態を示す説明用平面図、図４は手に嵌めた状態を示す説明用平面図、図５〜図７はシートの折り畳み工程を示し、図５は第１工程を示す平面図、図６は第２工程を示す平面図、図７は仕上げ工程を示す平面図である。
【０００６】
図１において、１は手足用の簡易カバーであり、前部（図１において上部）側に後面が開口２ａした台形状の収容部２を形成し、後部側に上記収容部２の底辺３を該収容部２から後方（図１において下方）に突出する三角形状の案内辺３ａを形成してなる。本例では、上記収容部２の後部の幅Ｗ１が約１５．５ｃｍ、前部の幅Ｗ２が約８ｃｍ、前後の長さＬ２が約１５ｃｍとなる大きさとし、前部左のコーナー部２ｂの角度Ａは約１０４度、前部右のコーナー部２ｃの角度Ｂは約１０５度とする。また、簡易カバー１全体の前後の長さＬ１は約２２．５ｃｍとする。なお、上記簡易カバー１の各部の寸法および角度は使用者の体形あるいは用途によって適宜設定する。
【０００７】
上記簡易カバー１を足の汚染防止に適用する場合には、該簡易カバー１に抗菌剤を吹き付け、または塗布し、次いで該簡易カバー１を足先部（図示省略）に嵌め、この状態で図２、図３に示すように、靴８あるいはスリッパ９を履く。さすれば、靴８、あるいはスリッパ９等が直接足先部に触れなくなる。このため、靴８あるいはスリッパ９等の履物に白せん菌等の汚染物が付着していたとしても、これらが足先部に付着しなくなり、足の皮膚病、汚染が防止されることになる。特に、作業用として共同で使用される安全靴、病院、ホテル等で共用されるスリッパを履く際に、上記簡易カバー１を足に装着すると有効となる。
【０００８】
また、図４に示すように、上記簡易カバー１を手１０に嵌めると、簡易カバー１の底面が掌の全面を覆うことになり、広い面で窓ガラス、靴、便器等の被清掃物を迅速に清掃することができるとともに、収容部２の前部左右のコーナー部２ｂ，２ｃが上記被清掃物の角部に円滑に接することになり、該被清掃物を隅々まで円滑に清掃することができる。
【０００９】
上記簡易カバー１は、縦約２５ｃｍ、横約２５ｃｍの可撓性のシート、本例では市販のペーパータオルからなるシート５を２枚〜３枚重ね、これを折り畳んで形成する。上記シート５を紙製にすれば、廃棄時に公害が発生しなくなるので好ましいが、該シート５は、繊維状のポリエステル、レーヨン、ポリエチレン等によるプラスチック製の不織布としてもよい。
【００１０】
図５〜図６は、上記簡易カバー１を得るシート５の折り畳み工程を示す。まず、図５に示すように、シート５を正方形に広げ、その後部コーナー側に型板６を載置する。この型板６は、厚紙またはプラスチック板により、後部の左右縁６ａ，６ｂの交叉角が直角に、前部の左右の縁６ｃ，６ｄが前方に向かって次第に狭くなるテーパー状に、また前縁６ｅが左右に延長する、異形５角形に形成されており、この型板６を、その後部の左右縁６ａ，６ｂが上記シート５の後部の左右縁５ａ，５ｂの前部コーナ部に合致する如く位置決めして該シート５の上に重ねる。
【００１１】
次いで、図５の仮想線、及び図６の実線で示すように、上記シート５の左右コーナー側の辺５−１，５−２を型板６の前部の左右縁６ｃ，６ｄに沿って内方（左右方向）に折り畳み、該辺５−１，５−２同士を重ね合わせる。次いで、図６の仮想線、及び図７の実線で示すように、上記シート５の前部コーナー側の辺５−３を型板６の前縁６ｅに沿って内方（後方）に折り畳み、該辺５−３を上記折り畳んだ左右辺５−１，５−２の上側に重ね合わせる。なお、上記折り畳んだ前部コーナー側の辺５−３から側方（右方）に露出した辺５−１の露出部５−１ａは折り線（ア）を中心に内方に折り曲げて隠すようにしてもよい。
【００１２】
次いで、図７に示すように、各辺５−１〜５−３の後部側の重なり端部の上面に糊付けされたシール７を貼り、該シール７により上記重なり端部を互いに連結して後面が開口２ａした収容部２を形成した後、同図の仮想線で示すように型板６を収容部２から取り外し、前述した簡易カバー１を完成させる。なお、上記シール７は接着用のテープ、あるいはホッチキス等に換えてもよい。また、各辺５−１〜５−３の折り畳み順序は、前部コーナー側の辺５−３を折り畳んだ後、左右コーナー側の辺５−１，５−２を折り畳むようにしてもよい。
【００１３】
【発明の効果】
以上の説明から明らかな如く、本発明は、可撓性かつ正方形状のシートを折り畳んで後面が開口し、かつ左右辺が後部コーナー側に向かってテーパー状に拡開する台形状の収容部を形成するようにしたので、安価に得ることができるとともに、手、足のいずれにも嵌めることができ、多用途に活用することができる。
また、シートを紙材とし、該シートに抗菌剤及び又は芳香剤を含浸させるようにしたので、皮膚病の発生、異臭の発生等を防止することができる。
【図面の簡単な説明】
【図１】本発明の実施例を示す平面図である。
【図２】靴に取り付けた状態を示す説明用平面図である。
【図３】スリッパに取り付けた状態を示す説明用平面図である。
【図４】手に嵌めた状態を示す説明用平面図である。
【図５】シート折り畳みの第１工程を示す平面図である。
【図６】シート折り畳みの第２工程を示す平面図である。
【図７】シート折り畳みの仕上げ工程を示す平面図である。
【符号の説明】
１    手足用簡易カバー
２    収容部
２ａ  開口
２ｂ，２ｃ  前部左右のコーナー部
３    底辺
３ａ  案内部
５    シート
５−１，５−２    左右コーナー側の辺
５−３    前部コーナー側の辺
６    型板
６ａ  後部の左縁
６ｂ  後部の右縁
６ｃ  前部の左縁
６ｄ  前部の右縁
６ｅ  前縁
７    シール
８    靴
９    スリッパ
１０    手
【図１】
2004229991.tif 000003
【図２】
2004229991.tif 000004
【図３】
2004229991.tif 000005
【図４】
2004229991.tif 000006
【図５】
2004229991.tif 000007
【図６】
2004229991.tif 000008
【図７】
2004229991.tif 000009